(57)【要約】【課題】放送時間帯が変更された場合であっても、確実に録画予約番組を録画する。【解決手段】ＨＤＤレコーダのＭＰＵ１１は、録画予約記憶部１２２に格納されたデジタル放送の各録画予約番組について、その放送期間が変更された変更予約番組が有るか否かを判定する変更判定部１１３と、変更予約番組が有ると判定された場合に、録画予約記憶部１２２の各録画予約番組について、その放送期間が、変更予約番組の変更後の放送期間と重複している重複発生番組が有るか否かを判定する重複判定部１１４と、重複発生番組が有ると判定された場合に、変更予約番組に対応するアナログ放送の番組を検索する第１検索部１１５と、変更予約番組に対応するアナログ放送の番組が検索された場合に、変更予約番組に換えて、検索されたアナログ放送の番組を録画予約番組として設定する録画予約更新部１１７と、を備えている。【選択図】図２
2009118282.tif 000002
【特許請求の範囲】
【請求項１】
デジタル方式のテレビジョン放送を受信する第１受信手段及びアナログ方式のテレビジョン放送を受信する第２受信手段を有し、前記第１受信手段又は第２受信手段を介して受信した映像情報を、通信可能に接続された記録媒体に記録する放送記録装置であって、
予め設定された所定時間毎に、前記第１受信手段及び第２受信手段を介して、デジタル方式のテレビジョン放送及びアナログ方式のテレビジョン放送にそれぞれ対応する電子番組表情報である第１電子番組表情報及び第２電子番組表情報を取得する番組表取得手段と、
録画する対象の番組である録画予約番組毎に、それぞれ、前記録画予約番組の放送が開始される日時である放送開始日時情報、及び、前記録画予約番組の放送が終了される日時である放送終了日時情報を含む録画予約情報を格納する録画予約記憶手段と、
外部からの操作入力を受け付けて、受け付けられた操作入力に基づいて、前記第１受信手段を介して受信される番組の中から、前記録画予約番組を設定すると共に、設定された録画予約番組に対応する録画予約情報を前記録画予約記憶手段に記録する録画予約設定手段と、
前記録画予約記憶手段に格納された各録画予約番組について、その放送開始日時及び放送終了日時の少なくとも一方が変更された録画予約番組である変更予約番組が有るか否かを、前記第１電子番組表情報に基づいて判定する変更判定手段と、
前記変更判定手段によって変更予約番組が有ると判定された場合に、前記録画予約記憶手段に格納された前記変更予約番組を除く録画予約番組について、その放送開始日時情報から放送終了日時情報までの期間である放送期間が、前記変更予約番組の変更後の放送期間と重複している録画予約番組である重複発生番組が有るか否かを判定する重複判定手段と、
前記重複判定手段によって重複発生番組が有ると判定された場合に、前記第２電子番組表情報に基づいて、前記変更予約番組に対応する番組を検索する第１検索手段と、
前記第１検索手段によって前記変更予約番組に対応する番組が検索された場合に、前記変更予約番組に換えて、検索された番組を録画予約番組として設定する録画予約更新手段と、
前記録画予約記憶手段に格納された前記変更予約番組を除く録画予約番組を、前記第１受信手段を介して受信して前記記録媒体に記録すると共に、前記録画予約更新手段によって録画予約番組として設定された番組を、前記第２受信手段を介して受信して前記記録媒体に記録する記録実行手段と、
を備えることを特徴とする放送記録装置。
【請求項２】
前記第１検索手段は、前記変更予約番組に対応する番組を、前記変更予約番組の変更後の放送開始日時情報、放送終了日時情報、該番組が放送される放送局を識別する情報である放送局識別情報、及び、番組名称情報の内、少なくとも１の情報に基づいて検索することを特徴とする請求項１に記載の放送記録装置。
【請求項３】
前記第１検索手段によって前記変更予約番組に対応する番組が検索されない場合に、前記第２電子番組表情報に基づいて、前記重複発生番組に対応する番組を検索する第２検索手段を備え、
前記録画予約更新手段は、前記第２検索手段によって前記重複発生番組に対応する番組が検索された場合に、前記重複発生番組に換えて、検索された番組を録画予約番組として設定し、
前記記録実行手段は、前記録画予約記憶手段に格納された前記重複発生番組を除く録画予約番組を、前記第１受信手段を介して受信して前記記録媒体に記録すると共に、前記録画予約更新手段によって録画予約番組として設定された番組を、前記第２受信手段を介して受信して前記記録媒体に記録することを特徴とする請求項１又は請求項２に記載の放送記録装置。
【請求項４】
前記第２検索手段は、前記重複発生番組に対応する番組を、前記重複発生番組の放送開始日時情報、放送終了日時情報、該番組が放送される放送局を識別する情報である放送局識別情報、及び、番組名称情報の内、少なくとも１の情報に基づいて検索することを特徴とする請求項３に記載の放送記録装置。
【発明の詳細な説明】
【技術分野】
【０００１】
本発明は、デジタル方式のテレビジョン放送を受信する第１受信手段及びアナログ方式のテレビジョン放送を受信する第２受信手段を有し、前記第１受信手段又は第２受信手段を介して受信した映像情報を、通信可能に接続された記録媒体に記録する放送記録装置に関する。
【背景技術】
【０００２】
従来、テレビジョン放送を受信してＨＤＤ（Ｈａｒｄ  Ｄｉｓｋ  Ｄｒｉｖｅ）等の記録媒体に記録する放送記録装置においては、電子番組表（ＥＰＧ：Ｅｌｅｃｔｒｏｎｉｃ  Ｐｒｏｇｒａｍ  Ｇｕｉｄｅ）情報等を介して、放送番組の録画を予約する録画予約機能が搭載されている。
【０００３】
しかし、新たに録画予約を設定する対象の番組である録画予約番組（以下、「新規の録画予約番組」という）の放送時間帯が、既に設定された録画予約番組（以下、「既存の録画予約番組」という）の放送時間帯と重複している場合には、新たに録画予約を設定することができないという課題があった。
【０００４】
上記課題を解消するために、例えば、新規の録画予約番組が既存の録画予約番組と重複した場合に、その重複時間が予め設定された時間以下である場合に、新規の録画予約の優先が設定されているときには、既存の録画予約を新規の録画予約に合わせて修正して、新規の録画予約を設定し、既存の録画予約の優先が設定されているときには、新規の録画予約を既存の録画予約に合わせて修正して、修正された新規の録画予約を設定する予約録画装置が開示されている（特許文献１参照）。
【特許文献１】特開２００６−３３１１９号公報
【発明の開示】
【発明が解決しようとする課題】
【０００５】
しかしながら、上記予約録画装置では、新規の録画予約番組が既存の録画予約番組と重複した場合であっても、新たに録画予約を設定することが可能となるものの、放送局側の事情等によって、１の録画予約番組の放送時間帯が変更され、他の１の録画予約番組の放送時間帯と重複した場合には、前記１の録画予約番組を録画することができない場合があった。
【０００６】
本発明は、上記課題に鑑みてなされたものであって、放送時間帯が変更された場合であっても、確実に録画予約番組を録画することの可能な放送記録装置を提供することを目的としている。
【課題を解決するための手段】
【０００７】
上記目的を達成するために請求項１に記載の放送記録装置は、デジタル方式のテレビジョン放送を受信する第１受信手段及びアナログ方式のテレビジョン放送を受信する第２受信手段を有し、前記第１受信手段又は第２受信手段を介して受信した映像情報を、通信可能に接続された記録媒体に記録する放送記録装置であって、予め設定された所定時間毎に、前記第１受信手段及び第２受信手段を介して、デジタル方式のテレビジョン放送及びアナログ方式のテレビジョン放送にそれぞれ対応する電子番組表情報である第１電子番組表情報及び第２電子番組表情報を取得する番組表取得手段と、録画する対象の番組である録画予約番組毎に、それぞれ、前記録画予約番組の放送が開始される日時である放送開始日時情報、及び、前記録画予約番組の放送が終了される日時である放送終了日時情報を含む録画予約情報を格納する録画予約記憶手段と、外部からの操作入力を受け付けて、受け付けられた操作入力に基づいて、前記第１受信手段を介して受信される番組の中から、前記録画予約番組を設定すると共に、設定された録画予約番組に対応する録画予約情報を前記録画予約記憶手段に記録する録画予約設定手段と、前記録画予約記憶手段に格納された各録画予約番組について、その放送開始日時及び放送終了日時の少なくとも一方が変更された録画予約番組である変更予約番組が有るか否かを、前記第１電子番組表情報に基づいて判定する変更判定手段と、前記変更判定手段によって変更予約番組が有ると判定された場合に、前記録画予約記憶手段に格納された前記変更予約番組を除く録画予約番組について、その放送開始日時情報から放送終了日時情報までの期間である放送期間が、前記変更予約番組の変更後の放送期間と重複している録画予約番組である重複発生番組が有るか否かを判定する重複判定手段と、前記重複判定手段によって重複発生番組が有ると判定された場合に、前記第２電子番組表情報に基づいて、前記変更予約番組に対応する番組を検索する第１検索手段と、前記第１検索手段によって前記変更予約番組に対応する番組が検索された場合に、前記変更予約番組に換えて、検索された番組を録画予約番組として設定する録画予約更新手段と、前記録画予約記憶手段に格納された前記変更予約番組を除く録画予約番組を、前記第１受信手段を介して受信して前記記録媒体に記録すると共に、前記録画予約更新手段によって録画予約番組として設定された番組を、前記第２受信手段を介して受信して前記記録媒体に記録する記録実行手段と、を備えることを特徴としている。
【０００８】
請求項２に記載の放送記録装置は、請求項１に記載の放送記録装置であって、前記第１検索手段が、前記変更予約番組に対応する番組を、前記変更予約番組の変更後の放送開始日時情報、放送終了日時情報、該番組が放送される放送局を識別する情報である放送局識別情報、及び、番組名称情報の内、少なくとも１の情報に基づいて検索することを特徴としている。
【０００９】
請求項３に記載の放送記録装置は、請求項１又は請求項２に記載の放送記録装置であって、前記第１検索手段によって前記変更予約番組に対応する番組が検索されない場合に、前記重複発生番組に対応する番組を、前記第２電子番組表情報に基づいて検索する第２検索手段を備え、前記録画予約更新手段が、前記第２検索手段によって前記重複発生番組に対応する番組が検索された場合に、前記重複発生番組に換えて、検索された番組を録画予約番組として設定し、前記記録実行手段が、前記録画予約記憶手段に格納された前記重複発生番組を除く録画予約番組を、前記第１受信手段を介して受信して前記記録媒体に記録すると共に、前記録画予約更新手段によって録画予約番組として設定された番組を、前記第２受信手段を介して受信して前記記録媒体に記録することを特徴としている。
【００１０】
請求項４に記載の放送記録装置は、請求項３に記載の放送記録装置であって、前記第２検索手段が、前記重複発生番組に対応する番組を、前記重複発生番組の放送開始日時情報、放送終了日時情報、該番組が放送される放送局を識別する情報である放送局識別情報、及び、番組名称情報の内、少なくとも１の情報に基づいて検索することを特徴としている。
【発明の効果】
【００１１】
請求項１に記載の放送記録装置によれば、予め設定された所定時間毎に、デジタル方式のテレビジョン放送を受信する第１受信手段、及び、アナログ方式のテレビジョン放送を受信する第２受信手段を介して、デジタル方式のテレビジョン放送及びアナログ方式のテレビジョン放送にそれぞれ対応する電子番組表情報である第１電子番組表情報及び第２電子番組表情報が取得される。そして、外部からの操作入力が受け付けられて、受け付けられた操作入力に基づいて、第１受信手段を介して受信される番組の中から、録画予約番組が設定されると共に、設定された録画予約番組に対応する録画予約番組の放送が開始される日時である放送開始日時情報、及び、録画予約番組の放送が終了される日時である放送終了日時情報を含む録画予約情報が録画予約記憶手段に記録される。
【００１２】
また、録画予約記憶手段に格納された各録画予約番組について、その放送開始日時及び放送終了日時の少なくとも一方が変更された録画予約番組である変更予約番組が有るか否かが、第１電子番組表情報に基づいて判定され、変更予約番組が有ると判定された場合に、録画予約記憶手段に格納された変更予約番組を除く録画予約番組について、その放送開始日時情報から放送終了日時情報までの期間である放送期間が、変更予約番組の変更後の放送期間と重複している録画予約番組である重複発生番組が有るか否かが判定される。
【００１３】
更に、重複発生番組が有ると判定された場合に、第２電子番組表情報に基づいて、変更予約番組に対応する番組が検索され、変更予約番組に対応する番組が検索された場合に、変更予約番組に換えて、検索された番組が録画予約番組として設定され、録画予約記憶手段に格納された変更予約番組を除く録画予約番組が、第１受信手段を介して受信されて記録媒体に記録されると共に、検索されて録画予約番組として設定された番組が、第２受信手段を介して受信されて記録媒体に記録されるため、放送時間帯が変更された場合であっても、確実に録画予約番組を録画することができる。
【００１４】
すなわち、放送期間が変更予約番組の変更後の放送期間と重複している重複発生番組が有ると判定された場合に、アナログ方式のテレビジョン放送に対応する第２電子番組表情報に基づいて変更予約番組に対応する番組が検索され、変更予約番組に対応する番組が検索された（＝該当する番組が見つかった）場合に、変更予約番組に換えて、検索された番組が録画予約番組として設定され、録画予約番組として設定された番組が、アナログ方式のテレビジョン放送を受信する第２受信手段を介して受信されて記録媒体に記録されるため、デジタル方式のテレビジョン放送を受信する第１受信手段を介して受信される変更予約番組に換えて、該変更予約番組に対応するアナログ方式のテレビジョン放送の番組が検索された場合には、その番組がアナログ方式のテレビジョン放送を受信する第２受信手段を介して受信されて記録媒体に記録されるので、放送時間帯が変更された場合であっても、確実に録画予約番組を録画することができるのである。
【００１５】
つまり、放送期間が変更予約番組の変更後の放送期間と重複している重複発生番組が有ると判定された場合に、重複発生番組は、デジタル方式のテレビジョン放送を受信する第１受信手段を介して受信されて記録媒体に記録され、変更予約番組に対応する番組は、アナログ方式のテレビジョン放送を受信する第２受信手段を介して受信されて記録媒体に記録されるため、放送時間帯が変更された場合であっても、確実に録画予約番組を録画することができるのである。
【００１６】
請求項２に記載の放送記録装置によれば、変更予約番組に対応する番組が、変更予約番組の変更後の放送開始日時情報、放送終了日時情報、該番組が放送される放送局を識別する情報である放送局識別情報、及び、番組名称情報の内、少なくとも１の情報に基づいて検索されるため、変更予約番組に対応する番組を的確に検索することができるので、放送時間帯が変更された場合であっても、更に確実に録画予約番組を録画することができる。
【００１７】
請求項３に記載の放送記録装置によれば、変更予約番組に対応する番組が検索されない場合に、第２電子番組表情報に基づいて、重複発生番組に対応する番組が検索され、重複発生番組に対応する番組が検索された場合に、重複発生番組に換えて、検索された番組が録画予約番組として設定され、録画予約記憶手段に格納された重複発生番組を除く録画予約番組が、第１受信手段を介して受信されて記録媒体に記録されると共に、重複発生番組に換えて録画予約番組として設定された番組が、第２受信手段を介して受信されて記録媒体に記録されるため、放送時間帯が変更された場合であっても、更に確実に録画予約番組を録画することができる。
【００１８】
すなわち、変更予約番組に対応する番組が検索されない（＝該当する番組が見つからない）場合に、アナログ方式のテレビジョン放送に対応する第２電子番組表情報に基づいて、重複発生番組に対応する番組が検索され、重複発生番組に対応する番組が検索された（＝該当する番組が見つかった）場合に、重複発生番組に換えて、検索された番組が録画予約番組として設定され、録画予約番組として設定された番組が、アナログ方式のテレビジョン放送を受信する第２受信手段を介して受信されて記録媒体に記録されるため、デジタル方式のテレビジョン放送を受信する第１受信手段を介して受信される重複発生番組に換えて、該重複発生番組に対応するアナログ方式のテレビジョン放送の番組が検索された場合には、その番組がアナログ方式のテレビジョン放送を受信する第２受信手段を介して受信されて記録媒体に記録されるので、放送時間帯が変更された場合であっても、確実に録画予約番組を録画することができるのである。
【００１９】
つまり、放送期間が変更予約番組の変更後の放送期間と重複している重複発生番組が有ると判定された場合に、変更予約番組は、デジタル方式のテレビジョン放送を受信する第１受信手段を介して受信されて記録媒体に記録され、重複発生番組に対応する番組は、アナログ方式のテレビジョン放送を受信する第２受信手段を介して受信されて記録媒体に記録されるため、放送時間帯が変更された場合であっても、確実に録画予約番組を録画することができるのである。
【００２０】
請求項４に記載の放送記録装置によれば、重複発生番組に対応する番組が、重複発生番組の放送開始日時情報、放送終了日時情報、該番組が放送される放送局を識別する情報である放送局識別情報、及び、番組名称情報の内、少なくとも１の情報に基づいて検索されるため、重複発生番組に対応する番組を的確に検索することができるので、放送時間帯が変更された場合であっても、更に確実に録画予約番組を録画することができる。
【発明を実施するための最良の形態】
【００２１】
以下に本発明の実施形態を、図面を参照しながら説明する。図１は、本発明に係るＨＤＤレコーダの構成の一例を示すブロック図である。ＨＤＤレコーダ１（放送記録装置に相当する）は、デジタル方式のテレビジョン放送及びアナログ方式のテレビジョン放送を受信し、出力装置２に配設されたディスプレイ２１及びスピーカ２２に出力すると共に、ＨＤＤ１９に記録するものであって、ＭＰＵ１１、ＲＡＭ１２、ＲＯＭ１３、操作部１４、受信部１５、音声出力部１６、ＭＰＥＧ２デコード部１７、画像出力部１８、及び、ＨＤＤ１９を備えている。
【００２２】
また、ＨＤＤレコーダ１は、出力装置２と通信可能に接続されると共に、リモートコントローラ（ｒｅｍｏｔｅ  ｃｏｎｔｒｏｌｌｅｒ：以下、「リモコン」という）３と赤外線通信を介して通信可能に接続されている。
【００２３】
出力装置２は、ＨＤＤレコーダ１からの映像信号及び音声信号に対応する映像及び音声を出力するものであって、ディスプレイ２１及びスピーカ２２を備えている。ディスプレイ２１は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１８２から出力された映像信号に対応する映像を表示するものである。ただし、受信部１５Ｂによって受信されたアナログのテレビジョン放送に対応する映像を出力する場合には、ＮＴＳＣエンコード部１８１を介さずに、映像信号出力部１８２に映像信号が入力される（図示省略）。
【００２４】
スピーカ２２は、音声信号出力部１６２から出力された音声信号に対応する音声を出力するものである。ただし、受信部１５Ｂによって受信されたアナログのテレビジョン放送に対応する音声を出力する場合には、Ｄ／Ａ変換部１６１を介さずに、音声信号出力部１６２に音声信号が入力される（図示省略）。
【００２５】
リモコン３（録画予約設定手段の一部に相当する）は、電源キー、テンキー等の複数のキーを備え、キーの押下を介してユーザからの操作入力を受け付けて、操作入力に対応する赤外線信号を生成して、ＨＤＤレコーダ１に対して出力するものである。
【００２６】
ＭＰＵ（Ｍｉｃｒｏ  Ｐｒｏｃｅｓｓｉｎｇ  Ｕｎｉｔ）１１は、ＨＤＤレコーダ１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。操作部１４は、電源のＯＮ、ＯＦＦ操作、選局等の各種操作を受け付けると共に、リモコン３からの各種操作を、赤外線通信を介して受け付けるものである。
【００２７】
受信部１５は、デジタル方式及びアナログ方式のテレビジョン放送を受信して復調するものであって、第１受信部１５Ａ、及び、第２受信部１５Ｂを備えている。受信部１５Ａ（第１受信手段に相当する）は、デジタル方式のテレビジョン放送を受信するものであって、アンテナ部１５１Ａ、チューナ部１５２Ａ、Ａ／Ｄ変換部１５３Ａ、デジタル復調部１５４Ａ、及び、ＴＳデマルチプレクサ１５５Ａを備えている。受信部１５Ｂ（第２受信手段に相当する）は、アナログ方式のテレビジョン放送を受信するものであって、アンテナ部１５１Ｂ、チューナ部１５２Ｂ、及び、アナログ復調部１５３Ｂを備えている。なお、第１受信部１５Ａと第２受信部１５Ｂとは、以下の説明においては、特に必要な場合を除いて、両者を区別することなく受信部１５と総称する。
【００２８】
アンテナ部１５１Ａは、デジタル方式のテレビジョン放送波を受信するものである。チューナ部１５２Ａは、アンテナ部１５１Ａで受信されたテレビジョン放送波から、予め設定されたチャンネルの放送を選局するものである。Ａ／Ｄ変換部１５３Ａは、チューナ部１５２Ａからの出力信号（＝アナログ信号）をデジタル情報に変換するものである。デジタル復調部１５４Ａは、Ａ／Ｄ変換部１５３Ａからの出力情報を復調するものである。ＴＳ（Ｔｒａｎｓｐｏｒｔ  Ｓｔｒｅａｍ）デマルチプレクサ１５５Ａは、デジタル復調部１５４Ａによって復調された出力情報を種別毎に分離して出力するものである。
【００２９】
アンテナ部１５１Ｂは、アナログ方式のテレビジョン放送波を受信するものである。チューナ部１５２Ｂは、アンテナ部１５１Ｂで受信されたテレビジョン放送波から、予め設定されたチャンネルの放送を選局するものである。アナログ復調部１５３Ｂは、チューナ部１５２Ｂからの出力信号を映像信号及び音声信号に復調するものである。
【００３０】
音声出力部１６は、受信部１５によって受信されたデジタル方式のテレビジョン放送（又はアナログのテレビジョン放送）に対応する音声を出力するものであって、Ｄ／Ａ変換部１６１、及び、音声信号出力部１６２を備えている。Ｄ／Ａ変換部１６１は、ＴＳデマルチプレクサ１５５Ａから出力された音声情報（＝デジタル情報）をアナログ信号に変換するものである。音声信号出力部１６２は、Ｄ／Ａ変換部１６１によってアナログ信号に変換された音声信号を出力装置２のスピーカ２２に対して出力するものである。
【００３１】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５Ａから出力されたデジタル方式のテレビジョン放送の映像情報を圧縮前の映像情報に復号化するものである。
【００３２】
画像出力部１８は、ＭＰＥＧ２デコード部１７によって復号化されたデジタル方式のテレビジョン放送の映像情報、又は、アナログ復調部１５３Ｂによって復調された映像信号を出力するものであって、ＮＴＳＣエンコード部１８１、及び、映像信号出力部１８２を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号を出力装置２のディスプレイ２１に対して出力するものである。
【００３３】
ＨＤＤ（Ｈａｒｄ  Ｄｉｓｋ  Ｄｒｉｖｅ）１９（記録媒体に相当する）は、ＭＰＵ１１（図２に示す記録実行部１１８）からの指示に従って、受信部１５を介して受信された映像情報、音声情報等を、インターフェイス部１９１を介して格納するものである。
【００３４】
次に、ＨＤＤレコーダ１がデジタル方式のテレビジョン放送（＝デジタル放送）を受信する場合の動作について説明する。まず、送信されてきたデジタル放送波がアンテナ部１５１Ａで受信される。リモコン３を介して選局操作が受け付けられた場合には、チューナ部１５２Ａによって受信するトランスポンダ（Ｔｒａｎｓｐｏｎｄｅｒ）の切換が行われる。受信されたデジタル放送波は、Ａ／Ｄ変換部１５３Ａによりデジタル情報に変換され、デジタル復調部１５４Ａによって復調される。
【００３５】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等からなり、これらの情報がＴＳデマルチプレクサ１５５Ａによって、分離して出力され、ＲＡＭ１２に格納される。そして、ＲＡＭ１２から読み出されたテレビジョン放送に対応する音声情報がＤ／Ａ変換部１６１によってアナログ信号に変換され、音声信号出力部１６２を介して出力装置２のスピーカ２２から音声が出力される。
【００３６】
また、ＲＡＭ１２から読み出されたテレビジョン放送に対応する映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介して出力装置２のディスプレイ２１に映像が表示される。
【００３７】
次いで、ＨＤＤレコーダ１がアナログ方式のテレビジョン放送（＝アナログ放送）を受信する場合の動作について説明する。まず、送信されてきたアナログ放送波がアンテナ部１５１Ｂで受信される。リモコン３を介して選局操作が受け付けられた場合には、チューナ部１５２Ｂによって受信するトランスポンダ（Ｔｒａｎｓｐｏｎｄｅｒ）の切換が行われる。受信されたアナログ放送波は、アナログ復調部１５３Ｂによって復調される。
【００３８】
そして、アナログ方式のテレビジョン放送に対応する音声信号が音声信号出力部１６２を介して出力装置２のスピーカ２２から音声が出力される。また、アナログ放送の映像信号が映像信号出力部１８２を介して出力装置２のディスプレイ２１に伝送されて、映像が出力装置２のディスプレイ２１に表示される。
【００３９】
図２は、本発明に係るＨＤＤレコーダ１における主要部の機能構成の一例を示す構成図である。ＭＰＵ１１は、機能的に、番組表取得部１１１、録画予約設定部１１２、変更判定部１１３、重複判定部１１４、第１検索部１１５、第２検索部１１６、録画予約更新部１１７、及び、記録実行部１１８を備え、ＲＡＭ１２は、機能的に、番組表記憶部１２１、及び、録画予約記憶部１２２を備えている。
【００４０】
ここでは、ＭＰＵ１１が、図１に示すＲＯＭ１３等に予め格納された制御プログラムを読み出して実行することにより、番組表取得部１１１、録画予約設定部１１２、変更判定部１１３、重複判定部１１４、第１検索部１１５、第２検索部１１６、録画予約更新部１１７、記録実行部１１８等の機能部として機能し、ＲＡＭ１２を、番組表記憶部１２１、録画予約記憶部１２２等の機能部として機能させるものである。
【００４１】
また、ＲＡＭ１２、図１に示すＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしても良く、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００４２】
番組表記憶部１２１は、番組表取得部１１１によって取得されたデジタル方式のテレビジョン放送及びアナログ方式のテレビジョン放送にそれぞれ対応する電子番組表（ＥＰＧ：Ｅｌｅｃｔｒｏｎｉｃ  Ｐｒｏｇｒａｍ  Ｇｕｉｄｅ）情報である第１電子番組表情報及び第２電子番組表情報を格納するものである。なお、番組表記憶部１２１に格納された第１電子番組表情報は、録画予約設定部１１２及び変更判定部１１３によって読み出され、番組表記憶部１２１に格納された第２電子番組表情報は、第１検索部１１５及び第２検索部１１６によって読み出される。
【００４３】
録画予約記憶部１２２（録画予約記憶手段に相当する）は、録画する対象の番組である録画予約番組毎に、それぞれ、録画予約番組の放送が開始される日時である放送開始日時情報、及び、録画予約番組の放送が終了される日時である放送終了日時情報を含む録画予約情報を格納するものである。なお、録画予約記憶部１２２に格納される録画予約情報は、録画予約設定部１１２によって記録され（＝書き込まれ）、録画予約更新部１１７によって更新され、変更判定部１１３、重複判定部１１４、及び、記録実行部１１８によって読み出される。
【００４４】
番組表取得部１１１（番組表取得手段に相当する）は、予め設定された所定時間毎に、第１受信部１５Ａ及び第２受信部１５Ｂを介して、デジタル方式のテレビジョン放送及びアナログ方式のテレビジョン放送にそれぞれ対応する電子番組表情報である第１電子番組表情報及び第２電子番組表情報を取得すると共に、取得した第１電子番組表情報及び第２電子番組表情報を番組表記憶部１２１に記録する（＝書き込む）ものである。
【００４５】
録画予約設定部１１２（録画予約設定手段の一部に相当する）は、リモコン３を介してユーザからの操作入力を受け付けて、受け付けられた操作入力に基づいて、第１受信部１５Ａを介して受信される番組（＝デジタル方式のテレビジョン放送を介して放送される番組）の中から、録画予約番組を設定すると共に、設定された録画予約番組に対応する録画予約情報を録画予約記憶部１２２に記録する（＝書き込む）ものである。
【００４６】
変更判定部１１３（変更判定手段に相当する）は、録画予約記憶部１２２に格納された各録画予約番組について、その放送開始日時及び放送終了日時の少なくとも一方が変更された録画予約番組である変更予約番組が有るか否かを、番組表記憶部１２１に格納された第１電子番組表情報に基づいて判定するものである。
【００４７】
具体的には、変更判定部１１３は、録画予約記憶部１２２に格納された各録画予約番組について、番組表記憶部１２１に格納された第１電子番組表情報の各録画予約番組に対応する放送開始日時情報が、録画予約記憶部１２２に格納された放送開始日時情報と一致するか否かを判定すると共に、番組表記憶部１２１に格納された第１電子番組表情報の各録画予約番組に対応する放送終了日時情報が、録画予約記憶部１２２に格納された放送終了日時情報と一致するか否かを判定することによって、変更予約番組が有るか否かを判定するものである。なお、変更判定部１１３は、第１電子番組表情報において、録画予約記憶部１２２に格納された各録画予約番組に対応する放送開始日時情報を、番組を識別する情報である番組識別情報（いわゆる、番組ＩＤ）を参照することによって取得することができる。
【００４８】
重複判定部１１４（重複判定手段に相当する）は、変更判定部１１３によって変更予約番組が有ると判定された場合に、録画予約記憶部１２２に格納された変更予約番組を除く録画予約番組について、その放送開始日時情報から放送終了日時情報までの期間である放送期間が、変更予約番組の変更後の放送期間と重複している録画予約番組である重複発生番組が有るか否かを判定するものである。
【００４９】
第１検索部１１５（第１検索手段に相当する）は、重複判定部１１４によって重複発生番組が有ると判定された場合に、番組表記憶部１２１に格納されたアナログ方式のテレビジョン放送に対応する第２電子番組表情報に基づいて、変更予約番組に対応するアナログ放送の番組を検索するものである。
【００５０】
具体的には、第１検索部１１５は、変更予約番組に対応するアナログ放送の番組を、変更予約番組の変更後の放送開始日時情報、放送終了日時情報、該番組が放送される放送局を識別する情報である放送局識別情報、及び、番組名称情報に基づいて検索するものである。例えば、第１検索部１１５は、下記の条件１、条件２、条件３の全てを満たす場合に、変更予約番組に対応するアナログ放送の番組とするものである。
条件１：放送開始日時及び放送終了日時が、変更予約番組の変更後の放送開始日時及び放送終了日時と、それぞれ略一致する（例えば、日時の差がそれぞれ５分以内である）。
条件２：放送局識別情報が変更予約番組の変更後の放送局識別情報と一致する。
条件３：番組名称情報が変更予約番組の変更後の番組名称情報と略一致する（例えば、番組名称を示す文字列の８０％以上が一致する）。
【００５１】
なお、第１検索部１１５は、変更予約番組の変更後の放送開始日時情報、放送終了日時情報、該番組が放送される放送局を識別する情報である放送局識別情報、及び、番組名称情報を、番組表記憶部１２１に格納されたデジタル方式のテレビジョン放送に対応する第１電子番組表情報から取得し、変更予約番組に対応するアナログ放送の番組の放送開始日時情報、放送終了日時情報、該番組が放送される放送局を識別する情報である放送局識別情報、及び、番組名称情報を、番組表記憶部１２１に格納されたアナログ方式のテレビジョン放送に対応する第２電子番組表情報から取得するものである。
【００５２】
第２検索部１１６（第２検索手段に相当する）は、第１検索部１１５によって変更予約番組に対応する番組が検索されない（＝見つからない）場合に、第２電子番組表情報に基づいて、重複発生番組に対応するアナログ放送の番組を検索するものである。
【００５３】
具体的には、第２検索部１１６は、重複発生番組に対応するアナログ放送の番組を、重複発生番組の放送開始日時情報、放送終了日時情報、該番組が放送される放送局を識別する情報である放送局識別情報、及び、番組名称情報に基づいて検索するものである。例えば、第２検索部１１６は、下記の条件４、条件５、条件６の全てを満たす場合に、重複発生番組に対応するアナログ放送の番組とするものである。
条件４：放送開始日時及び放送終了日時が、重複発生番組の放送開始日時及び放送終了日時と、それぞれ略一致する（例えば、日時の差がそれぞれ５分以内である）。
条件５：放送局識別情報が重複発生番組の放送局識別情報と一致する。
条件６：番組名称情報が重複発生番組の番組名称情報と略一致する（例えば、番組名称を示す文字列の８０％以上が一致する）。
【００５４】
なお、第２検索部１１６は、重複発生番組の放送開始日時情報、放送終了日時情報、該番組が放送される放送局を識別する情報である放送局識別情報、及び、番組名称情報を、番組表記憶部１２１に格納されたデジタル方式のテレビジョン放送に対応する第１電子番組表情報から取得し、重複発生番組に対応するアナログ放送の番組の放送開始日時情報、放送終了日時情報、該番組が放送される放送局を識別する情報である放送局識別情報、及び、番組名称情報を、番組表記憶部１２１に格納されたアナログ方式のテレビジョン放送に対応する第２電子番組表情報から取得するものである。
【００５５】
録画予約更新部１１７（録画予約更新手段に相当する）は、第１検索部１１５によって変更予約番組に対応するアナログ放送の番組が検索された（＝見つかった）場合に、変更予約番組に換えて、検索された番組を録画予約番組として設定するものである。
【００５６】
すなわち、録画予約更新部１１７は、第１検索部１１５によって変更予約番組に対応するアナログ放送の番組が検索された（＝見つかった）場合に、変更予約番組に対応する録画予約情報を録画予約記憶部１２２から削除し、第１検索部１１５によって検索されたアナログ放送の番組の録画予約情報を録画予約記憶部１２２に追加するものである。
【００５７】
また、録画予約更新部１１７は、第２検索部１１６によって重複発生番組に対応するアナログ放送の番組が検索された（＝見つかった）場合に、重複発生番組に換えて、検索された番組を録画予約番組として設定するものである。
【００５８】
すなわち、録画予約更新部１１７は、第２検索部１１６によって重複発生番組に対応するアナログ放送の番組が検索された（＝見つかった）場合に、重複発生番組に対応する録画予約情報を録画予約記憶部１２２から削除し、第１検索部１１５によって検索されたアナログ放送の番組の録画予約情報を録画予約記憶部１２２に追加するものである。
【００５９】
更に、録画予約更新部１１７は、第２検索部１１６によって重複発生番組に対応するアナログ放送の番組が検索されない（＝見つからない）場合に、変更予約番組に対応する録画予約情報を録画予約記憶部１２２から削除するものである。
【００６０】
記録実行部１１８（記録実行手段に相当する）は、録画予約記憶部１２２に格納された変更予約番組を除く録画予約番組を、第１受信部１５Ａを介して受信してＨＤＤ１９に記録する（＝書き込む）と共に、録画予約更新部１１７によって録画予約番組として設定されたアナログ放送の番組を、第２受信部１５Ｂを介して受信してＨＤＤ１９に記録する（＝書き込む）ものである。
【００６１】
図３は、ＨＤＤレコーダ１（ＭＰＵ１１）によって録画予約番組として設定される番組を含む番組表の一例を示す図表である。（ａ）は、録画予約設定部１１２によって設定された録画予約番組を示す図表であり、（ｂ）は、変更判定部１１３によって変更予約番組が有ると判定され、重複判定部１１４によって重複発生番組が有ると判定される録画予約番組を示す図表であり、（ｃ）は、録画予約更新部１１７によって設定される録画予約番組を示す図表である。
【００６２】
各図表の縦軸は、日時（ここでは、午後１０時〜午前２時まで）であり、横軸は、チャンネル番号である。なお、各チャンネル番号には、デジタル放送及びアナログ放送の別、及び放送局名称が併記されている。例えば、左端欄は、チャンネル番号が「４」のデジタル放送であって、「ＡＡＡ放送」という名称の放送局から放送される番組である。また各図表において、太枠で示す番組は、録画予約番組として設定された番組である。
【００６３】
（ａ）に示すように、ここでは、チャンネル番号が「４」であるＡＡＡ放送において、午後１２時〜午前２時に放送される番組Ａ３と、チャンネル番号が「６」であるＢＢＢ放送において、午後１０時３０分〜午後１１時３０分に放送される番組Ｂ２が録画予約番組として設定されている。そして、（ｂ）に示すように、ここでは、チャンネル番号が「４」であるＡＡＡ放送の番組Ａ３の放送期間が午後１２時〜午前２時から、午後１１時〜午前１時へ変更されている。その結果、チャンネル番号が「４」であるＡＡＡ放送の番組Ａ３の放送期間（＝午後１１時〜午前１時）と、チャンネル番号が「６」であるＢＢＢ放送の番組Ｂ２の放送期間（＝午後１０時３０分〜午後１１時３０分）とが重複している。すなわち、午後１１時〜午後１１時３０分の間が、番組Ａ３の放送期間であり、且つ、番組Ｂ２の放送期間でもある。
【００６４】
そこで、（ｂ）の状態において、番組Ａ３が変更判定部１１３によって変更予約番組であると判定される。そして、重複判定部１１４によって、番組Ｂ２が重複発生番組であると判定される。従って、第１検索部１１５によって、変更予約番組（ここでは、番組Ａ３）に対応するアナログ放送の番組が検索され、チャンネル番号が「５」であるＡＡＡ放送において、午後１１時〜午前１時に放送される番組Ａ３が選定される。
【００６５】
そして、（ｃ）に示すように、録画予約更新部１１７によって、変更予約番組（ここでは、チャンネル番号が「４」であるＡＡＡ放送の番組Ａ３）に換えて、検索された番組（ここでは、チャンネル番号が「５」であるＡＡＡ放送の番組Ａ３）が録画予約番組として設定される。
【００６６】
図４、図５は、ＨＤＤレコーダ１（主にＭＰＵ１１）の動作の一例を示すフローチャートである。なお、ここでは、便宜上、番組表取得部１１１によって第１電子番組表情報及び第２電子番組表情報が予め取得され、取得された第１電子番組表情報及び第２電子番組表情報が番組表記憶部１２１に格納されており、録画予約設定部１１２によって録画予約番組が予め設定され、設定された録画予約番組に対応する録画予約情報が録画予約記憶部１２２に格納されている場合について説明する。まず、変更判定部１１３によって、変更予約番組が有るか否かの判定が行われる（Ｓ１０１）。
【００６７】
変更予約番組が無いと判定された場合（Ｓ１０１でＮＯ）には、処理が待機状態とされる。変更予約番組が有ると判定された場合（Ｓ１０１でＹＥＳ）には、重複判定部１１４によって、変更予約番組の変更後の放送期間情報が取得される（Ｓ１０３）。そして、重複判定部１１４によって、録画予約記憶部１２２に格納された録画予約番組の中から、変更予約番組を除く１の録画予約番組の放送期間情報が読み出される（Ｓ１０５）。そして、重複判定部１１４によって、ステップＳ１０５において読み出された放送期間が、ステップＳにおいて取得された放送期間と重複しているか否かの判定が行われる（Ｓ１０７）。重複していると判定された場合（Ｓ１０７でＹＥＳ）には、処理がステップＳ１１１に進められる。
【００６８】
重複していないと判定された場合（Ｓ１０７でＮＯ）には、重複判定部１１４によって、録画予約記憶部１２２に格納された全ての録画予約番組について放送期間の重複の判定が終了したか否かの判定が行われる（Ｓ１０９）。放送期間の重複の判定が終了したと判定された場合（Ｓ１０９でＹＥＳ）には、処理がステップＳ１０１に戻され、ステップＳ１０１以降の処理が繰り返し実行される。放送期間の重複の判定が終了していないと判定された場合（Ｓ１０９でＮＯ）には、処理がステップＳ１０５に戻され、ステップＳ１０５以降の処理が繰り返し実行される。
【００６９】
ステップＳ１０７のＹＥＳの場合（＝重複発生番組であると判定された場合）には、第１検索部１１５によって、番組表記憶部１２１に格納されたアナログ方式のテレビジョン放送に対応する第２電子番組表情報が読み出される（Ｓ１１１）。そして、第１検索部１１５によって、変更予約番組に対応するアナログ放送の番組が検索され、変更予約番組に対応するアナログ放送の番組の有無が判定される（Ｓ１１３）。変更予約番組に対応するアナログ放送の番組が有ると判定された場合（Ｓ１１３でＹＥＳ）には、処理が図５に示すステップＳ１２１へ進められる。
【００７０】
変更予約番組に対応するアナログ放送の番組が無いと判定された場合（Ｓ１１３でＮＯ）には、第２検索部１１６によって、重複発生番組に対応するアナログ放送の番組が検索され、重複発生番組に対応するアナログ放送の番組の有無が判定される（Ｓ１１５）。重複発生番組に対応するアナログ放送の番組が有ると判定された場合（Ｓ１１５でＹＥＳ）には、処理が図５に示すステップＳ１２７へ進められる。重複発生番組に対応するアナログ放送の番組が無いと判定された場合（Ｓ１１５でＮＯ）には、録画予約更新部１１７によって、変更予約番組に対応する録画予約情報が録画予約記憶部１２２から削除される（Ｓ１１７）。そして、記録実行部１１８によって、録画予約記憶部１２２に録画予約情報が格納された録画予約番組が、第１受信部１５Ａを介して受信され、ＨＤＤ１９に記録すされ（Ｓ１１９）、処理が終了される。
【００７１】
図４に示すフローチャートのステップＳ１１３でＹＥＳには、図５に示すように、録画予約更新部１１７によって、変更予約番組に対応する録画予約情報が録画予約記憶部１２２から削除される（Ｓ１２１）。そして、録画予約更新部１１７によって、図４に示すフローチャートのステップＳ１１３において検索されたアナログ放送の番組の録画予約情報が録画予約記憶部１２２に追加される（Ｓ１２３）。次いで、記録実行部１１８によって、録画予約記憶部１２２に格納された録画予約番組が、第１受信部１５Ａ又は第２受信部１５Ｂを介して受信されてＨＤＤ１９に記録され（Ｓ１２５）、処理が終了される。
【００７２】
図４に示すフローチャートのステップＳ１１５でＹＥＳには、図５に示すように、録画予約更新部１１７によって、重複発生番組に対応する録画予約情報が録画予約記憶部１２２から削除される（Ｓ１２７）。そして、録画予約更新部１１７によって、図４に示すフローチャートのステップＳ１１５において検索されたアナログ放送の番組の録画予約情報が録画予約記憶部１２２に追加される（Ｓ１２９）。次いで、記録実行部１１８によって、録画予約記憶部１２２に格納された録画予約番組が、第１受信部１５Ａ又は第２受信部１５Ｂを介して受信されてＨＤＤ１９に記録され（Ｓ１３１）、処理が終了される。
【００７３】
このようにして、予め設定された所定時間毎に、デジタル方式のテレビジョン放送を受信する第１受信部１５Ａ、及び、アナログ方式のテレビジョン放送を受信する第２受信部１５Ｂを介して、デジタル方式のテレビジョン放送及びアナログ方式のテレビジョン放送にそれぞれ対応する電子番組表情報である第１電子番組表情報及び第２電子番組表情報が取得される。そして、リモコン３を介してユーザからの操作入力が受け付けられて、受け付けられた操作入力に基づいて、第１受信部１５Ａを介して受信される番組の中から、録画予約番組が設定されると共に、設定された録画予約番組に対応する録画予約番組の放送が開始される日時である放送開始日時情報、及び、録画予約番組の放送が終了される日時である放送終了日時情報を含む録画予約情報が録画予約記憶部１２２に記録される。
【００７４】
また、録画予約記憶部１２２に格納された各録画予約番組について、その放送開始日時及び放送終了日時の少なくとも一方が変更された録画予約番組である変更予約番組が有るか否かが、第１電子番組表情報に基づいて判定され、変更予約番組が有ると判定された場合に、録画予約記憶部１２２に格納された変更予約番組を除く録画予約番組について、その放送開始日時情報から放送終了日時情報までの期間である放送期間が、変更予約番組の変更後の放送期間と重複している録画予約番組である重複発生番組が有るか否かが判定される。
【００７５】
更に、重複発生番組が有ると判定された場合に、第２電子番組表情報に基づいて、変更予約番組に対応する番組が検索され、変更予約番組に対応する番組が検索された場合に、変更予約番組に換えて、検索された番組が録画予約番組として設定され、録画予約記憶部１２２に格納された変更予約番組を除く録画予約番組が、第１受信部１５Ａを介して受信されてＨＤＤ１９に記録されると共に、検索されて録画予約番組として設定された番組が、第２受信部１５Ｂを介して受信されてＨＤＤ１９に記録されるため、放送時間帯が変更された場合であっても、確実に録画予約番組を録画することができる。
【００７６】
すなわち、放送期間が変更予約番組の変更後の放送期間と重複している重複発生番組が有ると判定された場合に、アナログ方式のテレビジョン放送に対応する第２電子番組表情報に基づいて変更予約番組に対応する番組が検索され、変更予約番組に対応する番組が検索された（＝該当する番組が見つかった）場合に、変更予約番組に換えて、検索された番組が録画予約番組として設定され、録画予約番組として設定された番組が、アナログ方式のテレビジョン放送を受信する第２受信部１５Ｂを介して受信されてＨＤＤ１９に記録されるため、デジタル方式のテレビジョン放送を受信する第１受信部１５Ａを介して受信される変更予約番組に換えて、該変更予約番組に対応するアナログ方式のテレビジョン放送の番組が検索された場合には、その番組がアナログ方式のテレビジョン放送を受信する第２受信部１５Ｂを介して受信されてＨＤＤ１９に記録されるので、放送時間帯が変更された場合であっても、確実に録画予約番組を録画することができるのである。
【００７７】
つまり、放送期間が変更予約番組の変更後の放送期間と重複している重複発生番組が有ると判定された場合に、重複発生番組は、デジタル方式のテレビジョン放送を受信する第１受信部１５Ａを介して受信されてＨＤＤ１９に記録され、変更予約番組に対応する番組は、アナログ方式のテレビジョン放送を受信する第２受信部１５Ｂを介して受信されてＨＤＤ１９に記録されるため、放送時間帯が変更された場合であっても、確実に録画予約番組を録画することができるのである。
【００７８】
また、変更予約番組に対応する番組が、変更予約番組の変更後の放送開始日時情報、放送終了日時情報、該番組が放送される放送局を識別する情報である放送局識別情報、及び、番組名称情報に基づいて検索されるため、変更予約番組に対応する番組を的確に検索することができるので、放送時間帯が変更された場合であっても、更に確実に録画予約番組を録画することができる。
【００７９】
更に、変更予約番組に対応する番組が検索されない場合に、第２電子番組表情報に基づいて、重複発生番組に対応する番組が検索され、重複発生番組に対応する番組が検索された場合に、重複発生番組に換えて、検索された番組が録画予約番組として設定され、録画予約記憶部１２２に格納された重複発生番組を除く録画予約番組が、第１受信部１５Ａを介して受信されてＨＤＤ１９に記録されると共に、重複発生番組に換えて録画予約番組として設定された番組が、第２受信部１５Ｂを介して受信されてＨＤＤ１９に記録されるため、放送時間帯が変更された場合であっても、更に確実に録画予約番組を録画することができる。
【００８０】
すなわち、変更予約番組に対応する番組が検索されない（＝該当する番組が見つからない）場合に、アナログ方式のテレビジョン放送に対応する第２電子番組表情報に基づいて、重複発生番組に対応する番組が検索され、重複発生番組に対応する番組が検索された（＝該当する番組が見つかった）場合に、重複発生番組に換えて、検索された番組が録画予約番組として設定され、録画予約番組として設定された番組が、アナログ方式のテレビジョン放送を受信する第２受信部１５Ｂを介して受信されてＨＤＤ１９に記録されるため、デジタル方式のテレビジョン放送を受信する第１受信部１５Ａを介して受信される重複発生番組に換えて、該重複発生番組に対応するアナログ方式のテレビジョン放送の番組が検索された場合には、その番組がアナログ方式のテレビジョン放送を受信する第２受信部１５Ｂを介して受信されてＨＤＤ１９に記録されるので、放送時間帯が変更された場合であっても、確実に録画予約番組を録画することができるのである。
【００８１】
つまり、放送期間が変更予約番組の変更後の放送期間と重複している重複発生番組が有ると判定された場合に、変更予約番組は、デジタル方式のテレビジョン放送を受信する第１受信部１５Ａを介して受信されてＨＤＤ１９に記録され、重複発生番組に対応する番組は、アナログ方式のテレビジョン放送を受信する第２受信部１５Ａを介して受信されてＨＤＤ１９に記録されるため、放送時間帯が変更された場合であっても、確実に録画予約番組を録画することができるのである。
【００８２】
加えて、重複発生番組に対応する番組が、重複発生番組の放送開始日時情報、放送終了日時情報、該番組が放送される放送局を識別する情報である放送局識別情報、及び、番組名称情報に基づいて検索されるため、重複発生番組に対応する番組を的確に検索することができるので、放送時間帯が変更された場合であっても、更に確実に録画予約番組を録画することができる。
【００８３】
なお、本発明は、以下の形態にも適用可能である。
（Ａ）本実施形態では、放送記録装置が、デジタル方式のテレビジョン放送を受信する第１受信部１５Ａ及びアナログ方式のテレビジョン放送を受信する第２受信部１５Ｂを有するＨＤＤレコーダ１である場合について説明したが、放送記録装置が２以上のアナログ放送を同時に受信可能に構成された放送受信機である形態でも良いし、２以上のデジタル放送を受信可能に構成された放送記録装置である形態でも良い。
【００８４】
（Ｂ）本実施形態では、記録媒体がＨＤＤ１９である場合について説明したが、その他の種類の記録媒体（例えば、ＤＶＤ等）である形態でも良い。
【００８５】
（Ｃ）本実施形態では、ＭＰＵ１１が、番組表取得部１１１、録画予約設定部１１２、変更判定部１１３、重複判定部１１４、第１検索部１１５、第２検索部１１６、録画予約更新部１１７、記録実行部１１８等の機能部を備える場合について説明したが、番組表取得部１１１、録画予約設定部１１２、変更判定部１１３、重複判定部１１４、第１検索部１１５、第２検索部１１６、録画予約更新部１１７、及び、記録実行部１１８の内、少なくとも１の機能部が、回路等のハードウェアによって構成されている形態でも良い。
【００８６】
（Ｄ）本実施形態では、第１検索部１１５が、条件１、条件２、条件３の全てを満たす場合に、変更予約番組に対応するアナログ放送の番組とする場合について説明したが、条件１、条件２、条件３の内、少なくとも１の条件を満たす場合に、変更予約番組に対応するアナログ放送の番組とする形態であれば良い。例えば、第１検索部１１５が、条件１及び条件３を満たす場合に、変更予約番組に対応するアナログ放送の番組とする形態でも良い。
【００８７】
（Ｅ）本実施形態では、第２検索部１１６が、条件４、条件５、条件６の全てを満たす場合に、重複発生番組に対応するアナログ放送の番組とする場合について説明したが、条件４、条件５、条件６の内、少なくとも１の条件を満たす場合に、重複発生番組に対応するアナログ放送の番組とする形態であれば良い。例えば、第２検索部１１６が、条件１及び条件２を満たす場合に、変更予約番組に対応するアナログ放送の番組とする形態でも良い。
【００８８】
（Ｆ）本実施形態では、録画予約更新部１１７が、第２検索部１１６によって重複発生番組に対応するアナログ放送の番組が検索されない（＝見つからない）時に、変更予約番組に対応する録画予約情報を録画予約記憶部１２２から削除する場合について説明したが、録画予約更新部１１７が、第２検索部１１６によって重複発生番組に対応するアナログ放送の番組が検索されない（＝見つからない）時に、変更予約番組及び重複発生番組のいずれか一方に対応する録画予約情報を録画予約記憶部１２２から削除する形態であれば良い。
【００８９】
また、録画予約更新部１１７が、リモコン３を介してユーザからの操作入力を受け付けて、受け付けられた操作入力に基づいて、変更予約番組及び重複発生番組の内、どちらの録画予約情報を録画予約記憶部１２２から削除するかを選択する形態でも良い。この場合には、更に利便性が向上される。
【図面の簡単な説明】
【００９０】
【図１】は、本発明に係るＨＤＤレコーダの構成の一例を示すブロック図である。
【図２】は、本発明に係るＨＤＤレコーダにおける主要部の機能構成の一例を示す構成図である。
【図３】は、ＨＤＤレコーダによって録画予約番組として設定される番組を含む番組表の一例を示す図表である。
【図４】は、ＨＤＤレコーダ（主にＭＰＵ）の動作の一例を示すフローチャート（前半部）である。
【図５】は、ＨＤＤレコーダ（主にＭＰＵ）の動作の一例を示すフローチャート（後半部）である。
【符号の説明】
【００９１】
１    ＨＤＤレコーダ（放送記録装置）
１１    ＭＰＵ
１１１    番組表取得部（番組表取得手段）
１１２    録画予約設定部（録画予約設定手段の一部）
１１３    変更判定部（変更判定手段）
１１４    重複判定部（重複判定手段）
１１５    第１検索部（第１検索手段）
１１６    第２検索部（第２検索手段）
１１７    録画予約更新部（録画予約更新手段）
１１８    記録実行部（記録実行手段）
１２    ＲＡＭ
１２１    番組表記憶部
１２２    録画予約記憶部（録画予約記憶手段）
１４    操作部
１５    受信部
１５Ａ    第１受信部（第１受信手段）
１５Ｂ    第２受信部（第２受信手段）
１８    画像出力部
１９    ＨＤＤ（記録媒体）
２    出力装置
２１    ディスプレイ
２２    スピーカ
３    リモコン（録画予約設定手段の一部）
【図１】
2009118282.tif 000003
【図２】
2009118282.tif 000004
【図３】
2009118282.tif 000005
【図４】
2009118282.tif 000006
【図５】
2009118282.tif 000007